(57)【特許請求の範囲】
【請求項１】
マルチサイト・マルチユーザ共同伝送のための方法であって、
ユーザ端末によって、各基地局から発するダウンリンク・チャネルを測定するステップと、
前記ダウンリンク・チャネルの測定値に従って、前記ユーザ端末によって、前記各基地局のサイトごとのチャネル情報および追加のサイト間チャネル情報を量子化し、入手するステップであって、前記追加のサイト間チャネル情報は、複数基地局の共同チャネル情報を計算するのに使用される、ステップと、
前記ユーザ端末によって、前記基地局が前記マルチサイト・マルチユーザ共同伝送を実行するためのスケジューリングを実行するように、前記各基地局の前記サイトごとのチャネル情報と前記追加のサイト間チャネル情報とをフィードバックするステップとを含み、
前記サイトごとのチャネル情報は、サイトごとのチャネル方向情報およびサイトごとのチャネル品質情報を含み、
前記追加のサイト間チャネル情報は、サイト間相対位相情報、サイト間相対振幅情報、および追加のチャネル品質情報を含み、
前記共同チャネル情報は、共同チャネル方向情報および共同チャネル品質情報を含み、
前記複数基地局の前記共同チャネル方向情報は、前記複数基地局の前記サイトごとのチャネル方向情報、前記サイト間相対位相情報、および前記サイト間相対振幅情報に従って合成される、方法。
【請求項２】
前記複数基地局の前記共同チャネル品質情報は、前記複数基地局の前記サイトごとのチャネル品質情報および前記追加のチャネル品質情報に従って合成される、請求項１に記載の方法。
【請求項３】
マルチサイト・マルチユーザ共同伝送のためのユーザ端末であって、
各基地局から発するダウンリンク・チャネルを測定するように構成された測定デバイスと、
前記ダウンリンク・チャネルの測定値に従って、各基地局のサイトごとのチャネル情報および追加のサイト間チャネル情報を量子化し、入手するように構成された量子化および入手デバイスであって、前記追加のサイト間チャネル情報は、複数基地局の共同チャネル情報を計算するのに使用される、量子化および入手デバイスと、
前記基地局が前記マルチサイト・マルチユーザ共同伝送を実行するためのスケジューリングを実行するように、前記各基地局の前記サイトごとのチャネル情報と前記追加のサイト間チャネル情報とをフィードバックするように構成されたフィードバック・デバイスとを含み、
前記サイトごとのチャネル情報は、サイトごとのチャネル方向情報およびサイトごとのチャネル品質情報を含み、
前記追加のサイト間チャネル情報は、サイト間相対位相情報、サイト間相対振幅情報、および追加のチャネル品質情報を含み、
前記共同チャネル情報は、共同チャネル方向情報および共同チャネル品質情報を含み、
前記複数基地局の前記共同チャネル方向情報は、前記複数基地局の前記サイトごとのチャネル方向情報、前記サイト間相対位相情報、および前記サイト間相対振幅情報に従って合成される、ユーザ端末。
【請求項４】
前記複数基地局の前記共同チャネル品質情報は、前記複数基地局の前記サイトごとのチャネル品質情報および前記追加のチャネル品質情報に従って合成される、請求項３に記載のユーザ端末。
【発明の詳細な説明】
【技術分野】
【０００１】
本発明は、移動体通信の分野に関し、具体的には、有利なシステム性能利益を提供するだけではなく、ＭＵ−ＭＩＭＯまたはある他の準最適マルチサイト調整方式のスケジューリングおよび伝送との優れた後方互換性をも有することができる、マルチサイト・マルチユーザ共同伝送（ｍｕｌｔｉ−ｓｉｔｅ  ｍｕｌｔｉ−ｕｓｅｒ  ｊｏｉｎｔ  ｔｒａｎｓｍｉｓｓｉｏｎ）の方法およびユーザ端末に関する。
【背景技術】
【０００２】
多地点協調（ｃｏｏｒｄｉｎａｔｅｄ  ｍｕｌｔｉ−ｐｏｉｎｔ）（ＣｏＭＰ）伝送は、セル間干渉（ＩＣＩ）を効果的に減らし、高データ・レートのカバレージおよびセル・エッジ・スループットを改善し、かつ／またはシステム・スループットを高めるための、ＬＴＥ−Ａｄｖａｎｃｅｄ通信システムの非常に見込みのある技法である。マルチサイト共同伝送（ＪＴ）は、１つまたは複数のＵＥ宛のデータ伝送がＣｏＭＰ調整セット内で共有され、複数のセルの中で共同で処理される、ＣｏＭＰ方式の１つである。すべてのＵＥのチャネル情報が、チャネル量子化フィードバックおよびバックホール交換を介して獲得され、共有される。したがって、共同マルチサイト・プロポーショナル・フェア（ｐｒｏｐｏｒｔｉｏｎａｌ  ｆａｉｒ）（ＰＦ）スケジューリングおよび集中化ゼロ・フォーシング（ＺＦ）プリコーディングを、調整されるｅＮＢの間でまたは集中化スケジューラ内で実行することができる。信号出力を改善し、セル間干渉（ＩＣＩ）を減らすために、複数のＵＥに、コヒーレント伝送を介してＣｏＭＰ調整セット内の複数のｅＮＢによって共同でサービスすることができる。明らかに、チャネル情報フィードバックは、マルチサイト共同伝送方式における重要な要因である。
【０００３】
したがって、マルチサイト共同伝送を完全にサポートするだけではなく、単一セルＳＵ／ＭＵ−ＭＩＭＯ（単一ユーザ／マルチユーザ−他入力および他出力）または調整されたスケジューリング／調整されたビームフォーミングなどの準最適マルチサイト調整方式との満足な後方互換性をも有することができる効率的なチャネル・フィードバック機構の必要がある。
【０００４】
マルチサイト共同伝送方式は、各ＵＥからのチャネル情報フィードバックに大いに依存する。各ＵＥは、複数の調整されるｅＮＢからの１つのコンポーネント・チャネル情報だけを報告することができる。この形で、より多くの送信アンテナ数を伴うより大きいコードブック・サイズが、コンポーネント・チャネル情報をよりよく量子化するために設計されなければならない。その一方で、コンポーネント・チャネル情報だけがフィードバックされる場合には、ｅＮＢは、単一セルＳＵ／ＭＵ−ＭＩＭＯスケジューリングまたは調整されたスケジューリング／ビームフォーミングなどの方式をそれ以上実行することができない。したがって、より効率的なフィードバック機構を、マルチサイト共同伝送の設計中に探求しなければならない。
【発明の概要】
【発明が解決しようとする課題】
【０００５】
本発明は、従来技術の上記の短所を克服するために提案される。したがって、本発明の目的は、有利なシステム性能利益を提供するだけではなく、ＭＵ−ＭＩＭＯまたはある他の準最適マルチサイト調整方式のスケジューリングおよび伝送との優れた後方互換性をも有することができる、マルチサイト・マルチユーザ共同伝送のための方法およびユーザ端末を提供することである。
【課題を解決するための手段】
【０００６】
上記の目的を達成するために、本発明は、マルチサイト・マルチユーザ共同伝送のための方法であって、ユーザ端末によって、各基地局から発するダウンリンク・チャネルを測定するステップと、ダウンリンク・チャネルの測定値に従って、ユーザ端末によって、各基地局のサイトごとのチャネル情報および追加のサイト間チャネル情報を量子化し、入手するステップであって、追加のサイト間チャネル情報は、複数基地局の共同チャネル情報（ｊｏｉｎｔ  ｃｈａｎｎｅｌ  ｉｎｆｏｒｍａｔｉｏｎ）を計算するのに使用される、ステップと、ユーザ端末によって、基地局がマルチサイト・マルチユーザ共同伝送を実行するためのスケジューリングを実行するようにするために、各基地局のサイトごとのチャネル情報と追加のサイト間チャネル情報とをフィードバックするステップとを含む方法を提供する。
【０００７】
好ましくは、サイトごとのチャネル情報は、サイトごとのチャネル方向情報およびサイトごとのチャネル品質情報を含む。
【０００８】
好ましくは、追加のサイト間チャネル情報は、サイト間相対位相情報、サイト間相対振幅情報、および追加のチャネル品質情報を含む。
【０００９】
好ましくは、共同チャネル情報は、共同チャネル方向情報および共同チャネル品質情報を含む。
【００１０】
好ましくは、複数基地局の共同チャネル方向情報は、複数基地局のサイトごとのチャネル方向情報、サイト間相対位相情報、およびサイト間相対振幅情報に従って合成される。
【００１１】
好ましくは、複数基地局の共同チャネル品質情報は、複数基地局のサイトごとのチャネル品質情報および追加のチャネル品質情報に従って合成される。
【００１２】
さらに、上記の目的を達成するために、本発明は、マルチサイト・マルチユーザ共同伝送のためのユーザ端末であって、各基地局から発するダウンリンク・チャネルを測定するように構成された測定デバイスと、ダウンリンク・チャネルの測定値に従って、各基地局のサイトごとのチャネル情報および追加のサイト間チャネル情報を量子化し、入手するように構成された量子化および入手デバイスであって、追加のサイト間チャネル情報は、複数基地局の共同チャネル情報を計算するのに使用される、量子化および入手デバイスと、基地局がマルチサイト・マルチユーザ共同伝送を実行するためのスケジューリングを実行するようにするために、各基地局のサイトごとのチャネル情報と追加のサイト間チャネル情報とをフィードバックするように構成されたフィードバック・デバイスとを含むユーザ端末を提供する。
【００１３】
本発明の上記および他の目的、特徴、および利益は、図面を参照して本発明の非限定的な実施形態を詳細に説明することによってより明白にされる。
【図面の簡単な説明】
【００１４】
【図１】本発明によるマルチサイト・マルチユーザ共同伝送のためのシステムを示す概略図である。
【図２】本発明によるマルチサイト・マルチユーザ共同伝送のための方法を示す流れ図である。
【図３】本発明によるマルチサイト・マルチユーザ共同伝送のためのユーザ端末を示すブロック図である。
【発明を実施するための形態】
【００１５】
以下では、図面を参照して本発明を説明する。次の説明では、いくつかの特定の実施形態は、例示のためにのみ説明され、本発明に対する限定ではなく例としてのみ解釈されなければならない。本発明の理解を潜在的に不鮮明にする伝統的な構造またはアーキテクチャは、省略される。
【００１６】
本発明は、サイトごとのチャネル・フィードバックおよび追加のサイト間チャネル・フィードバックに基づくマルチサイト・マルチユーザ共同伝送方式を提供する。各ＵＥは、各調整されるｅＮＢからの複数のサイトごとのチャネル量子化情報およびサイトごとのチャネル品質情報（ＣＱＩ）を報告する。これらの種類のフィードバック情報に基づいて、ｅＮＢは、単一セルＳＵ／ＭＵ−ＭＩＭＯスケジューリングまたはある他の準最適マルチサイト・スケジューリングおよび伝送を実行することができる。より見込みのあるマルチサイト共同伝送が、ｅＮＢ側または集中化スケジューラ内で実行される場合には、サイトごとのチャネル・フィードバックに加えて、さらに、調整されるｅＮＢの間のあるサイト間空間特性（たとえば、サイト間相対位相またはサイト間相対振幅）だけをフィードバックする必要がある。サイトごとのチャネル・フィードバックおよび追加のサイト間チャネル・フィードバックを同時に所有する時に、調整されるｅＮＢまたは集中化スケジューラは、マルチサイト・マルチユーザ共同伝送をより簡単に実行でき、あるいは、単一セルＳＵ／ＭＵ−ＭＩＭＯ、調整されたスケジューリング／調整されたビームフォーミング、およびマルチサイト共同伝送機構の間のより柔軟なスイッチングさえ実行することができる。
【００１７】
説明の単純さのために、図１に示されているように、３つの調整されるｅＮＢが、複数のＵＥに同時にサービスすると仮定する。詳細な実施手順は、次のように説明される。
【００１８】
ステップ１  ダウンリンク・チャネルの測定および量子化
各ＵＥは、調整されるｅＮＢからのＤＬ（ダウンリンク）共通基準信号に従ってダウンリンク（ＤＬ）チャネルを検出する。たとえば、ＵＥ１は、ｅＮＢｉ（ｉ＝１，２，３）からＵＥ１へのＤＬチャネル行列Ｈｉ１を入手し、ｅＮＢ１は、ＵＥ１のサービングｅＮＢである。
ＤＬチャネルＨｉ１ごとに受信機ビームフォーミングを実行する。
ｈｉ１＝Ｕ（：，１）ＨＨｉ１
ここで、Ｕ（：，１）は、サービングｅＮＢ１からのチャネル行列ｈ１１の左特異ベクトルの第１列である。
上記等価チャネルのチャネル正規化を実行する。
【００１９】
【数１】
0005645973.tif 000002
ここで、‖・‖Ｆは、行列のフロベニウス・ノルムを表す。
最小弦距離に従って、上記正規化されたチャネルのチャネル量子化を実行する。
【００２０】
【数２】
0005645973.tif 000003
ここで、ｃｊは、サイズＮ＝２Ｂの単位ノルム列ベクトルＣ＝｛ｃ１，…，ｃＮ｝のコードブック（または、ＵＥ１の空間相関行列によって重みを付けられた、変換されたコードブック）である。
【００２１】
ステップ２  チャネル方向情報（ＣＤＩ）の量子化およびフィードバック
３タイプのサイトごとのチャネル
【００２２】
【数３】
0005645973.tif 000004
が、上記ステップに従ってサービングｅＮＢに報告される。しかし、マルチサイト共同伝送をサポートするために、サイト間空間特性（たとえば、サイト間位相情報、サイト間振幅情報など）も、さらに、サービングｅＮＢに報告されなければならない。
３つの調整されるｅＮＢからＵＥ１への共同正規化チャネル・ベクトルは、
【００２３】
【数４】
0005645973.tif 000005
であり、ここで、
【００２４】
【数５】
0005645973.tif 000006
である。
３つの調整されるｅＮＢからＵＥ１への共同量子化チャネル・ベクトルは、サイト間空間特性を考慮することによって判定することができる。
【００２５】
【数６】
0005645973.tif 000007
ここで、
１）サイト間振幅情報α１，α２，α３∈（０，１）を、次のように判定することができ、（０，１）の範囲内で量子化することができる。
【００２６】
【数７】
0005645973.tif 000008
２）サイト間位相情報φ１，φ２∈（０，２π）を、最小弦距離に従って判定することができる。
【００２７】
【数８】
0005645973.tif 000009
ＵＥが、次の情報を測定でき、計算できると仮定する。
【００２８】
【数９】
0005645973.tif 000010
ここで、ψｉは、複素スカラ
【００２９】
【数１０】
0005645973.tif 000011
、ｉ＝（１，２，３）の位相情報であり、
【００３０】
【数１１】
0005645973.tif 000012
は、その振幅情報である。
次に、
【００３１】
【数１２】
0005645973.tif 000013
である。
φ１＝ψ２−ψ１、φ２＝ψ３−ψ１
である時に限って、
【００３２】
【数１３】
0005645973.tif 000014
は、最大値に達することができ、サイト間位相情報（φ１，φ２）を、（０，２π）の範囲内で量子化することができる。
要約すると、ＵＥは、次のＣＤＩ関連情報をフィードバックする必要がある。
１）３つのサイトごとのチャネル・フィードバック、
【００３３】
【数１４】
0005645973.tif 000015
２）２つのサイト間位相情報フィードバック、（φ１，φ２）
φ１＝ψ２−ψ１、φ２＝ψ３−ψ１
ここで、
【００３４】
【数１５】
0005645973.tif 000016
である。
３）２つのサイト間振幅情報フィードバック、（α２，α３）
【００３５】
【数１６】
0005645973.tif 000017
【００３６】
ステップ３  チャネル品質情報（ＣＱＩ）の量子化およびフィードバック
ステップ１のサイトごとのチャネルの測定および量子化に従って、各調整されるｅＮＢからＵＥ１へのサイトごとのＣＱＩを、
【００３７】
【数１７】
0005645973.tif 000018
として判定することができ、ここで、
１）調整されるｅＮＢｉ（ｉ＝１，２，３）からＵＥ１へのチャネル振幅は、‖ｈｉ１‖Ｆであり、
２）調整されるｅＮＢｉ（ｉ＝１，２，３）からＵＥ１へのチャネル情報およびチャネル量子化の角度は、θｉ１であり、
【００３８】
【数１８】
0005645973.tif 000019
であり、
３）ＵＥ１の雑音および干渉するセル（ｅＮＢ２およびｅＮＢ３を除外する）の測定された電力は、ＰＩＮ１であり、
４）Ｐは、セルごとの電力制約であり、Ｍは、セルごとの送信アンテナ数であり、通常は、
【００３９】
【数１９】
0005645973.tif 000020
としてセットすることができる。
【００４０】
すべての調整されるｅＮＢからＵＥ１への共同チャネルを反映するマルチサイトＣＱＩは、サイトごとのＣＱＩフィードバックに従って判定されなければならない。マルチサイトＣＱＩの詳細な導出プロセスを、次にリストした。
【００４１】
ステップ２の共同正規化チャネル・ベクトル
【００４２】
【数２０】
0005645973.tif 000021
および共同量子化チャネル・ベクトル
【００４３】
【数２１】
0005645973.tif 000022
に従って、調整されるｅＮＢからＵＥ１へのマルチサイトＣＱＩを、サイトごとのＣＱＩとして表すことができる。
【００４４】
【数２２】
0005645973.tif 000023
ここで、
１）すべての調整されるｅＮＢからＵＥ１への共同チャネル振幅は、
【００４５】
【数２３】
0005645973.tif 000024
であり、
２）共同チャネル・ベクトル
【００４６】
【数２４】
0005645973.tif 000025
および共同量子化チャネル・ベクトル
【００４７】
【数２５】
0005645973.tif 000026
の角度は、θ１である。
【００４８】
サイト間位相情報およびサイト間振幅情報に従って、角度θ１を、
【００４９】
【数２６】
0005645973.tif 000027
として導出することができる。
式（１）のサイトごとのＣＱＩを、次の形に変換することができる。
【００５０】
【数２７】
0005645973.tif 000028
ここで、
【００５１】
【数２８】
0005645973.tif 000029
である。
式（２）のマルチサイトＣＱＩを、次の形に変換することができる。
【００５２】
【数２９】
0005645973.tif 000030
ここで、
【００５３】
【数３０】
0005645973.tif 000031
である。
式（４）および（５）を式（３）に代入する。
【００５４】
【数３１】
0005645973.tif 000032
次に、
【００５５】
【数３２】
0005645973.tif 000033
であり、ここで、
ＣＱＩａｄｄｉｔｉｏｎａｌ＝‖ｈ１‖Ｆ２／ＰＩＮ１
である。
【００５６】
式（６）に従って、すべての調整されるｅＮＢからＵＥ１へのマルチサイトＣＱＩ（またはＣＱＩ１）を、ＵＥ側からの次のフィードバック情報に基づいてｅＮＢ側で入手することができる。
１）すべての調整されるｅＮＢからＵＥ１へのサイトごとのＣＱＩ（すなわち、ＣＱＩｉ１）、
２）セル間相対振幅情報（すなわち、αｉ）、および
３）追加のＣＱＩ情報（すなわち、ＣＱＩａｄｄｉｔｉｏｎａｌ）。
【００５７】
要約すると、ＵＥは、次のＣＱＩ関連情報をフィードバックする必要がある。
１）３つのサイトごとのＣＱＩフィードバック（ＣＱＩ１１，ＣＱＩ２１，ＣＱＩ３１）、および
２）１つの追加のＣＱＩフィードバック、ＣＱＩａｄｄｉｔｉｏｎａｌ。
【００５８】
ステップ４  調整されるｅＮＢの間でのバックホールを介するダウンリンクＣＤＩ／ＣＱＩ交換
各ｅＮＢは、すべてのＵＥのチャネル方向情報（ＣＤＩ）およびチャネル品質情報（ＣＱＩ）を、バックホールを介してＣｏＭＰ協力セット内でお互いと交換する。たとえば、すべての関連する情報を、次にリストする。
１）３つのサイトごとのＣＤＩフィードバック、
【００５９】
【数３３】
0005645973.tif 000034
、
２）２つのサイト間位相情報フィードバック、（φ１，φ２）、
３）２つのサイト間振幅情報フィードバック、（α２，α３）、
４）３つのサイトごとのＣＱＩフィードバック、（ＣＱＩ１１，ＣＱＩ２１，ＣＱＩ３１）、および
５）１つの追加のＣＱＩフィードバック、ＣＱＩａｄｄｉｔｉｏｎａｌ。
【００６０】
ステップ５  ＣｏＭＰ調整セット内の集中化ＭＵ−ＭＩＭＯスケジューリング
３つの調整されるｅＮＢの上記交換されたＣＤＩ／ＣＱＩに従って、貪欲検索スケジューリングが、いくつかの調整されるｅＮＢまたは集中化スケジューラによって実行され、ＺＦビームフォーミングが、共同マルチサイト・プリコーディングに使用される。
たとえば、スケジューリングされたユーザ集合Ｓが、ＵＥ１を含む場合には、集合Ｓの濃度は、｜Ｓ｜であり、ｆ１は、ＺＦビームフォーミングに従うＵＥ１のプリコーディング・ベクトルであり、ＵＥ１のＳＩＮＲは、ＵＥフィードバックに従って次のようにｅＮＢによって推定され得る。
【００６１】
【数３４】
0005645973.tif 000035
ここで、ＣＱＩ１は、すべての調整されるｅＮＢからＵＥ１へのマルチサイトＣＱＩであり、次のように計算され得る。
【００６２】
【数３５】
0005645973.tif 000036
正しいＭＣＳレベルを、スケジューリングされたＵＥごとの上記推定されたＳＩＮＲに従ってｅＮＢ側で判定することができる。
【００６３】
図２に、本発明によるマルチサイト・マルチユーザ共同伝送のための方法の流れ図を示す。
【００６４】
図２に示されているように、本発明の方法によれば、ステップ２０１で、ユーザ端末が、各基地局から発するダウンリンク・チャネルを測定する。ステップ２０３では、ダウンリンク・チャネルの測定値に従って、ユーザ端末が、各基地局のサイトごとのチャネル情報と追加のサイト間チャネル情報とを量子化し、入手し、追加のサイト間チャネル情報は、複数基地局の共同チャネル情報を計算するのに使用される。ステップ２０５では、基地局がマルチサイト・マルチユーザ共同伝送を実行するためのスケジューリングを実行するようにするために、ユーザ端末が、各基地局のサイトごとのチャネル情報と追加のサイト間チャネル情報とをフィードバックする。
【００６５】
図３に、本発明によるマルチサイト・マルチユーザ共同伝送のためのユーザ端末のブロック図を示す。
【００６６】
図３に示されているように、本発明によるユーザ端末は、測定デバイス３０１、量子化および入手デバイス３０３、ならびにフィードバック・デバイス３０５を含む。
【００６７】
測定デバイス３０１は、各基地局から発するダウンリンク・チャネルを測定するように構成される。量子化および入手デバイス３０３は、ダウンリンク・チャネルの測定値に従って、各基地局のサイトごとのチャネル情報および追加のサイト間チャネル情報を量子化し、入手するように構成され、追加のサイト間チャネル情報は、複数基地局の共同チャネル情報を計算するのに使用される。フィードバック・デバイス３０５は、基地局がマルチサイト・マルチユーザ共同伝送を実行するためにスケジューリングを実行するようにするために、各基地局のサイトごとのチャネル情報と追加のサイト間チャネル情報とをフィードバックするように構成される。
【００６８】
システム・レベル・シミュレーションを介するシステム性能評価
【００６９】
システム性能評価の焦点を、ＦＤＤシステムに合わせる。ＤＬ  ＺＦプリコーディングは、ＵＥからのチャネル方向情報（ＣＤＩ）フィードバックに基づく。共同スケジューリングおよびコヒーレント伝送が、同一サイトに配置された３つのセル内で実行される。４ｘ２  Ｔｘ／Ｒｘアンテナ展開を仮定する。ベースライン単一セルＭＵ−ＭＩＭＯは、Ｒｅｌ−８コードブック量子化または変換されたコードブック量子化を伴う１ストリーム伝送である。マルチサイト・マルチユーザ共同伝送（ＭＵ  ＪＴ）は、同時に最大１２個のＵＥをスケジューリングすると仮定され、各ＵＥは、１つのストリームだけを有する。詳細なシミュレーション・パラメータを、表１にリストする。
【００７０】
システム・レベル・シミュレーションによって、マルチサイト・マルチユーザ共同伝送（ＭＵ  ＪＴ）が、ＭＵ−ＭＩＭＯ方式に対して非常に優れたシステム性能利益を示したことを検証することができる。表２および表３では、Ｒｅｌ−８コードブック・セットまたは変換されたコードブック・セットが、それぞれＭＵ−ＭＩＭＯ方式またはマルチサイト共同伝送方式のチャネル量子化に使用され、ＭＵ  ＪＴ方式が、ＭＵ−ＭＩＭＯ方式と比較して、１０％を超える平均スループット利益およびセル・エッジ・スループット利益を達成したことがわかる。
【００７１】
【表１】
0005645973.tif 000037
【００７２】
【表２】
0005645973.tif 000038
【００７３】
【表３】
0005645973.tif 000039
【００７４】
本発明では、マルチサイト・マルチユーザ共同伝送方式が、ＵＥからのサイトごとのチャネル・フィードバックおよび追加のサイト間チャネル・フィードバックに基づいて提案される。サイトごとのチャネル量子化情報およびサイトごとのＣＱＩを使用することによって、ｅＮＢは、単一セルＳＵ／ＭＵ−ＭＩＭＯスケジューリングまたはある他の準最適マルチサイト調整方式のスケジューリングおよび伝送を実行することができる。さらに、拡張されたサイト間位相フィードバックまたはサイト間振幅フィードバックを使用する場合には、いくつかの調整されるｅＮＢｓまたは集中化スケジューラは、マルチサイト・マルチユーザ共同伝送を実行することができる。システム・レベル・シミュレーションは、提案されるマルチサイト共同伝送方式が、優れたシステム性能利益を有するだけではなく、ＭＵ−ＭＩＭＯまたは他の準最適スケジューリングおよび伝送とのよい後方互換性をも有することを示した。
【００７５】
単一セルＭＵ−ＭＩＭＯと比較して、この方式は、明示的な共同マルチユーザ・スケジューリングの利益および共同伝送の利益を達成することができる。現在のマルチサイト・マルチユーザ共同伝送方式と比較して、本発明による方法は、ＭＵ−ＭＩＭＯまたは他の準最適スケジューリングおよび伝送とのよい後方互換性を有する。
【００７６】
上の実施形態は、例示のために説明されるのみであって、本発明を限定することは意図されていない。当業者は、これらの実施形態に対するさまざまな変更および置換が、本発明の範囲および趣旨から逸脱せずに許容され、これらの変更および置換が、添付の特許請求の範囲によって限定される範囲に含まれることを理解するに違いない。
【図１】
0005645973.tif 000040
【図２】
0005645973.tif 000041
【図３】
0005645973.tif 000042